(57)【特許請求の範囲】
【請求項１】
側方から端子金具を収容可能に開放された形態の端子収容部を有するインナハウジングと、
複数の前記インナハウジングを積み上げた状態に連結する連結部と、
前記インナハウジングを内部に収容可能な筒状をなして前記端子収容部の開放側を塞ぐとともに、前記連結部との干渉を回避する開口部が設けられたアウタハウジングと、
前記アウタハウジングの側面に突設された指掛け部と、
前記インナハウジングに設けられ、前記インナハウジングが前記アウタハウジングに収容されたときに前記指掛け部と前後方向に係止して前記アウタハウジングからの抜け出しを防ぐロック部と、
を備えたコネクタ。
【請求項２】
前記連結部が、積み上げられる前記インナハウジングのうち一方のインナハウジングに突設された連結突起と、他方のインナハウジングから一方のインナハウジング側に延出して設けられて前記連結突起に係止可能な連結片とを有するものとされ、
前記アウタハウジングは、前記一方のインナハウジングが単体で収容される一段用アウタハウジングを備えている請求項１に記載のコネクタ。
【発明の詳細な説明】
【技術分野】
【０００１】
本発明は、コネクタに関する。
【背景技術】
【０００２】
一般に、コネクタハウジングには、各キャビティに収容された端子金具に係止してその離脱を防止するランスが設けられており、そのランスの構造を工夫することによって、コネクタの小型化を図る技術が知られている（例えば下記特許文献１に記載）。しかしながら、端子金具に対するランスの係止力を十分に確保することを考えると、ランスの構造を工夫するにも限界があり、コネクタの更なる小型化が難しいという問題があった。
【０００３】
そこで、側方から端子金具を収容可能に開放された形態の端子収容部をインナハウジングに設け、筒状をなすアウタハウジング内にインナハウジングを収容して、端子収容部の開放側を塞ぐようにすることが考えられる。このような構成とすることで、ランスを設けることなく端子金具の離脱を確実に防止することができることから、コネクタの小型化が可能となる。
【先行技術文献】
【特許文献】
【０００４】
【特許文献１】特開２０１２−２０９２２３号公報
【発明の概要】
【発明が解決しようとする課題】
【０００５】
しかしながら、上記のような構成では、端子収容部を複数段に並べて配置しようとすると、複数のインナハウジングを積み上げることになるため、積み上げられたインナハウジング同士を連結する連結部が必要である。また、アウタハウジング内に収容されたインナハウジングの抜け出しを防止するロック構造も別途必要であるから、コネクタの更なる小型化のためにはいっそう工夫が望まれていた。
【０００６】
本発明は上記のような事情に基づいて完成されたものであって、更なる小型化が可能なコネクタを提供することを目的とする。
【課題を解決するための手段】
【０００７】
本発明のコネクタは、側方から端子金具を収容可能に開放された形態の端子収容部を有するインナハウジングと、複数の前記インナハウジングを積み上げた状態に連結する連結部と、前記インナハウジングを内部に収容可能な筒状をなして前記端子収容部の開放側を塞ぐとともに、前記連結部との干渉を回避する開口部が設けられたアウタハウジングと、前記アウタハウジングの側面に突設された指掛け部と、前記インナハウジングに設けられ、前記インナハウジングが前記アウタハウジングに収容されたときに前記指掛け部と前後方向に係止して前記アウタハウジングからの抜け出しを防ぐロック部と、を備えている。
【発明の効果】
【０００８】
本発明によれば、アウタハウジングに開口部を設けるだけのシンプルな構成で、インナハウジングを連結する連結部との干渉を回避するものとし、またアウタハウジング内に収容されたインナハウジングの抜け出しを防止するロック構造の一部を、指掛け部に持たせたことから、コネクタの更なる小型化を実現することができる。
【図面の簡単な説明】
【０００９】
【図１】本実施例におけるコネクタを示す側面図
【図２】コネクタを示す平面図
【図３】コネクタを示す正面図
【図４】コネクタを示す断面図
【図５】積み上げられた第１および第２インナハウジングを示す側面図
【図６】積み上げられた第１および第２インナハウジングを示す平面図
【図７】積み上げられた第１および第２インナハウジングを示す正面図
【図８】一段用コネクタを示す側面図
【図９】一段用コネクタを示す断面図
【図１０】第１インナハウジングを示す側面図
【図１１】第１インナハウジングを示す平面図
【図１２】第１インナハウジングを示す正面図
【発明を実施するための形態】
【００１０】
本発明の好ましい形態を以下に示す。
本発明のコネクタは、前記連結部が、積み上げられる前記インナハウジングのうち一方のインナハウジングに突設された連結突起と、他方のインナハウジングから一方のインナハウジング側に延出して設けられて前記連結突起に係止可能な連結片とを有するものとされ、前記アウタハウジングは、前記一方のインナハウジングが単体で収容される一段用アウタハウジングを備えているものとしてもよい。
【００１１】
このような構成によれば、端子収容部が一段のみのコネクタと端子収容部が多段に配されるコネクタとにおいてインナハウジングを共有することができる。また、一段用アウタハウジングに収容される一方のインナハウジングの連結突起は他方のインナハウジングの連結片よりも外形形状が小さいから、一段用アウタハウジングの開口部を小さくすることができる。
【００１２】
＜実施例＞
以下、本発明を具体化した一実施例について、図１〜図１２を参照しつつ詳細に説明する。
本実施例におけるコネクタは、上方（側方）から端子金具１０を収容可能に開放された端子収容部２１が形成されたインナハウジング２０と、インナハウジング２０を内部に収容可能な筒状をなして端子収容部２１の開放側を塞ぐアウタハウジング４０とを備えている。インナハウジング２０は上下方向に積み上げ可能とされている。以下、各構成部材において、図１の左側を前方、右側を後方、上側を上方、下側を下方として説明する。
【００１３】
端子金具１０は、導電金属製の板材を曲げ加工して形成され、その前部には図示しない相手側の端子金具との接続のための端子接続部１１が備えられ、後部には電線Ｗにかしめ付けられて接続される電線接続部１２が備えられている（図４参照）。
【００１４】
端子接続部１１は角筒状に形成され、前方から相手側の端子金具が進入可能とされている。端子接続部１１の下面には、インナハウジング２０に係止する係止突起１３が突設されている。係止突起１３は、端子接続部１１の前端寄りの位置に設けられている。端子金具１０は、係止突起１３がインナハウジング２０に係止することによりインナハウジング２０から後方へ抜け出さないようにされる。
【００１５】
インナハウジング２０は合成樹脂製であり、全体として偏平な形状をなしている。インナハウジング２０は、前後方向に長い略長方形の平板状をなす基板２２を備えている（図６参照）。基板２２の幅方向における両側縁には、側壁２３が立設されている。両側壁２３は、基板２２の略後半部分に設けられている。
【００１６】
両側壁２３の間には、両側壁２３の間を所定数（本実施例では４つ）に仕切る仕切り壁２４が複数設けられている。一対の側壁２３および複数の仕切り壁２４は略等間隔で互いに略平行に配されている。各仕切り壁２４の上端の高さ位置は両側壁２３の上端の高さ位置とほぼ等しくされている（図７参照）。インナハウジング２０を上下方向に積み上げた状態では、下側に配されるインナハウジング２０の両側壁２３の上端及び各仕切り壁２４の上端が、上側に配されるインナハウジング２０の基板２２の下面に当接するものとされている。
【００１７】
そして、隣接する側壁２３と仕切り壁２４との間、または仕切り壁２４相互の間に形成される前後方向に細長い空間が、端子収容部２１とされている（図６参照）。端子収容部２１には、端子金具１０および各端子金具１０が接続された電線Ｗの一部が上方から収容可能とされている。
【００１８】
各端子収容部２１には、端子金具１０の端子接続部１１の後端に係止して、収容された端子金具１０の後方への離脱を防ぐ離脱防止凸部２５が設けられている（図６および図９参照）。離脱防止凸部２５は、各端子収容部２１の前後方向における中央部に設けられ、基板２２の上面に突設されている。離脱防止凸部２５は、幅寸法よりも前後方向の寸法が大きいブロック形状をなし、端子金具１０の端子接続部１１の後端に非弾性的に係止する。
【００１９】
各端子収容部２１の前半部分には、収容された端子金具１０の端子接続部１１の上面に係止して、端子金具１０の上方への抜けを防止する抜け止め爪２６が一対ずつ立設されている（図６および図９参照）。抜け止め爪２６の先端部には、端子収容部２１の内側に突出するように爪部２６Ａが設けられている。抜け止め爪２６の上端の高さ位置は、仕切り壁２４の上端の高さ位置より僅かに低くされている。抜け止め爪２６は、端子収容部２１の並列方向に弾性撓み可能に形成されている。
【００２０】
一対の抜け止め爪２６は、図６に示すように、隣接する端子収容部２１の一方と他方とで前後方向にずれた位置に配されている。これら一対の抜け止め爪２６は、前方位置より視認した場合、一部がラップしている（図７参照）。
【００２１】
各端子収容部２１の前半部分には、平面視略方形をなして基板２２を上下方向に貫通する窓部２７が前後に一対形成されている（図６参照）。各端子収容部２１において前後の窓部２７のうちいずれか一方の窓部２７の両側に一対の抜け止め爪２６が立設されている。また、後側の窓部２７の後面は、離脱防止凸部２５の前面と面一をなしている。
【００２２】
各端子収容部２１に設けられた前後の窓部２７のうち前側の窓部２７は、端子金具１０の係止突起１３に係止して収容された端子金具１０の後方への離脱を防止する離脱防止凹部２８とされている（図９参照）。離脱防止凹部２８に係止突起１３が嵌合し、係止突起１３の後面が離脱防止凹部２８の後面に係止するものとされている。なお、離脱防止凹部２８は、前方に開放されている。
【００２３】
各端子収容部２１の前端部には、インナハウジング２０がアウタハウジング４０に収容されたときに、アウタハウジング４０の前壁部４２に当接する前当接部２９が設けられている（図４参照）。前当接部２９は、基板２２の上方に突設し、隣接する端子収容部２１の間に位置している（図６参照）。
【００２４】
インナハウジング２０は、上下方向に積み上げ可能とされている。以下、積み上げられた状態で下側に配設されるインナハウジングを第１インナハウジング（一方のインナハウジング）２０Ｆ、その上側に配設されるインナハウジングを第２インナハウジング（他方のインナハウジング）２０Ｓと称する。
【００２５】
第１インナハウジング２０Ｆと第２インナハウジング２０Ｓとでは、抜け止め爪２６の位置が前後にずれて配設されている（図６参照）。これにより、第２インナハウジング２０Ｓの窓部２７を介して第１インナハウジング２０Ｆの抜け止め爪２６の爪部２６Ａを視認することができる。
【００２６】
第１インナハウジング２０Ｆの基板２２の前端角部には、上方に積み上げられたインナハウジング２０を支持する一対の支持部３１が起立して形成されている。一対の支持部３１は、その上面側に積み重ねられたインナハウジング２０の前端角部を支持するものである。支持部３１は、前当接部２９よりも高さ寸法が大きく、隣接する前当接部２９とは段差をなして連続して設けられている。
【００２７】
第２インナハウジング２０Ｓの前端角部には、一対の脚部３２が垂下して形成されている。第１インナハウジング２０Ｆと第２位インナハウジング２０とが積み上げられた状態では、一対の脚部３２の下面が第１インナハウジング２０Ｆの一対の支持部３１の上面に当接する（図１および図５参照）。
【００２８】
積み重ねられた第１インナハウジング２０Ｆおよび第２インナハウジング２０Ｓは、図５に示すように、連結部３３によって連結され、一体的に保持される。連結部３３は、第１インナハウジング２０Ｆに突設された連結突起３４と、第２インナハウジング２０Ｓから第１インナハウジング２０Ｆ側に延出して設けられた連結片３５とを有している。連結部３３は、インナハウジング２０の両側面に設けられ、後端寄りに位置している。
【００２９】
連結突起３４は、第１インナハウジング２０Ｆの側壁２３の外側に突設されている。連結突起３４は、側面視方形状をなしている。連結突起３４の上面には、下方に向かって次第に突出寸法が増す傾斜をなして、連結片３５の乗り上げを誘導する連結誘導面３４Ａが設けられている（図７参照）。また、連結突起３４の下面は、第１インナハウジング２０Ｆの外側面に対して略垂直をなし、連結片３５と上下方向に係止する連結係止面３４Ｂとされている。連結突起３４の上端は、第１インナハウジング２０Ｆの側壁２３の上端よりも若干下側に位置し、連結突起３４の全体が第１インナハウジング２０Ｆの上端よりも下側に配されている。
【００３０】
連結片３５は、第２インナハウジング２０Ｓの側壁２３の外側に下向きに延出して設けられている。連結片３５は、図５に示すように、第１インナハウジング２０Ｆと第２インナハウジング２０Ｓとが連結された状態で、連結突起３４の両側に配される一対のアーム部３５Ａと、一対のアーム部３５Ａの下端同士を連結する形態をなして連結突起３４の下側に配されるヘッド部３５Ｂとを有し、側方から見ると略Ｕ字形状をなしている。
【００３１】
第１インナハウジング２０Ｆの下面には、インナハウジング２０がアウタハウジング４０に収容されたときにアウタハウジング４０の指掛け部４６と前後方向に係止してアウタハウジング４０からの抜け出しを防ぐロック部３６が設けられている（図４参照）。ロック部３６は、第１インナハウジング２０Ｆの後端寄りの位置に設けられている。ロック部３６は、第１インナハウジング２０Ｆの基板２２の下面の幅方向における中央部に突設されている。
【００３２】
ロック部３６の後面は、後方から見ると幅方向（図７における左右方向）に長い略長方形状をなし、基板２２の下面に対して略垂直をなす切り立った面のロック係止面３６Ａとされている。ロック部３６の略前半部分には、前方に向かって基板２２のからの突出寸法が徐々に小さくなる傾斜をなし、ロック部３６が指掛け部４６の前方へ至ることを誘導するロック誘導面３６Ｂが設けられている。また、ロック部３６の両側面には、後方に向かって左右方向に少しずつ張り出すように傾斜した面が設けられている。
【００３３】
アウタハウジング４０は、合成樹脂材にて中空のボックス形状に形成されている。アウタハウジング４０の内部には、インナハウジング２０をほぼ隙間なく包囲した状態で収容可能な収容部４１が設けられている。収容部４１には、後方からインナハウジング２０が収容可能とされている。アウタハウジング４０には、インナハウジング２０の全体が収容され、インナハウジング２０の後端とアウタハウジング４０の後端とは揃った状態になる（図８参照）。
【００３４】
アウタハウジング４０は、端子収容部２１の前壁を構成する前壁部４２を有している。前壁部４２には、各端子収容部２１に対応してタブ挿通孔４３が貫通形成されている。アウタハウジング４０の前壁部４２には、収容されたインナハウジング２０の前当接部２９が当接するものとされている。
【００３５】
アウタハウジング４０の上面には、図示しない相手側コネクタとのロックを行うためのロックアーム４４が設けられている。ロックアーム４４は、アウタハウジング４０の前端から後方へ向けて片持ち状に延びて、上下方向に撓み可能に形成されている。ロックアーム４４の途中にはロック突起４４Ａが形成され、後端にはロック解除操作のための操作部４４Ｂが形成されている。
【００３６】
アウタハウジング４０には、連結部３３との干渉を回避する開口部４５が設けられている。開口部４５は、アウタハウジング４０の両側面に設けられている。開口部４５は、連結部３３の外形に沿った形状をなしている。開口部４５の上縁および下縁は、ほぼ全長において略平行をなしている。
【００３７】
アウタハウジング４０の下面（側面）には、指掛け部４６が突設されている。指掛け部４６は、アウタハウジング４０の後端に沿って略全幅にわたり下向きに張り出し形成されている（図３参照）。
【００３８】
アウタハウジング４０の下面のうち指掛け部４６の前側には、インナハウジング２０のロック部３６が嵌合可能なロック孔部４７が、上下方向に貫通して設けられている。指掛け部４６の幅方向中央部には、ロック部３６を前方に通過させる通過溝部４８が形成されている（図４参照）。通過溝部４８の後端部には、ロック部３６の通過を誘導するように傾斜する通過誘導面４９が形成されている。ロック部３６が通過溝部４８を通過してロック孔部４７に嵌合した状態では、ロック部３６のロック係止面３６Ａが指掛け部４６の前面と対向配置され、インナハウジング２０の後方への離脱が制限された状態になる。
【００３９】
アウタハウジング４０は、第１インナハウジング２０Ｆが単体で収容される一段用のアウタハウジング（以下、第１アウタハウジング４０Ｆと称する）と、積み上げられた第１インナハウジング２０Ｆおよび第２インナハウジング２０Ｓが収容される多段用のアウタハウジング４０（以下、第２アウタハウジング４０Ｓと称する）とを備えている。
【００４０】
第１アウタハウジング４０Ｆの収容部４１には、図９に示すように、単体の第１インナハウジング２０Ｆがほぼ隙間なく収容可能とされ、第２アウタハウジング４０Ｓの収容部４１には、図４に示すように、上下に積み上げられた第１インナハウジング２０Ｆと第２インナハウジング２０Ｓとがほぼ隙間なく収容可能とされている。
タブ挿通孔４３は、第１アウタハウジング４０Ｆにおいては一段に構成され、第２アウタハウジング４０Ｓにおいては上下二段に構成されている。
【００４１】
第１アウタハウジング４０Ｆに設けられた開口部４５（以下、第１開口部４５Ｆと称する）は、図８に示すように、連結突起３４の外形に整合する形状をなし、連結突起３４の高さ方向の寸法と同等の寸法を有して後方に開放された略長方形状をなしている。第１開口部４５Ｆの後端部においては開口幅が下側のみに広げられている。
【００４２】
第２アウタハウジング４０Ｓに設けられた開口部４５（以下、第２開口部４５Ｓと称する）は、図１に示すように、連結片３５の外形に整合する形状をなし、連結片３５の高さ方向の寸法と同等の寸法を有して後方に開放された略方形状をなしている。第２開口部４５Ｓの後端部においては開口幅が上下両側に広げられている。
【００４３】
次に、本実施例のコネクタの組み付け作業の一例を説明する。
最初に第１インナハウジング２０Ｆを第１アウタハウジング４０Ｆに組み付ける作業の一例について説明する。
まず、第１インナハウジング２０Ｆの各端子収容部２１に端子金具１０を収容する。各端子収容部２１に対して上方から端子金具１０を収容すると、端子金具１０の係止突起１３が離脱防止凹部２８の後面に係止するとともに、端子接続部１１の後面が離脱防止凸部２５に係止した状態になる。これにより、各端子金具１０の後方への抜け止めがなされる。
【００４４】
また、上方から押し込まれた端子金具１０の端子接続部１１に押されて一対の抜け止め爪２６は互いに離間する方向に撓み変形し、端子接続部１１が基板２２上に支持される深さまで押し込まれると弾性復帰して端子接続部１１の両側面を幅方向から挟むとともに、両爪部２６Ａが端子接続部１１の上面に係止する。これにより、端子金具１０は、端子収容部２１から上方への抜け止めがなされるとともに、隣接する端子金具１０と所定の間隔をあけた状態で保持される。
【００４５】
次に、第１インナハウジング２０Ｆを第１アウタハウジング４０Ｆに収容する。第１インナハウジング２０Ｆを、第１アウタハウジング４０Ｆの収容部４１に後方から差し入れると、ロック部３６が通過溝部４８の入り口に至り、ロック誘導面３６Ｂが通過誘導面４９に当接し、その傾斜によってロック部３６が前方に誘導され、やがて指掛け部４６を乗り越えてその前方に至り、ロック孔部４７に嵌合する。これにより、ロック部３６が指掛け部４６に係止した状態になる。また、ほぼ同時に、第１インナハウジング２０Ｆの前当接部２９が第１アウタハウジング４０Ｆの前壁部４２の内面に当接した状態になる。これにより、第１インナハウジング２０Ｆが第１アウタハウジング４０Ｆの内部に抜け止めされた状態で保持される。
以上により、第１インナハウジング２０Ｆを第１アウタハウジング４０Ｆに組み付ける作業が完了する。
【００４６】
次に、積み上げられた第１インナハウジング２０Ｆおよび第２インナハウジング２０Ｓを第２アウタハウジング４０Ｓに組み付ける作業の一例について説明する。
まず、第１インナハウジング２０Ｆおよび第２インナハウジング２０Ｓの各端子収容部２１に、先に述べたのと同様に、上方から端子金具１０を収容する。
【００４７】
次いで、第１インナハウジング２０Ｆと第２インナハウジング２０Ｓと積み上げて連結する。第１インナハウジング２０Ｆの上面側に第２インナハウジング２０Ｓを積み上げるようにして両インナハウジング２０Ｆ，２０Ｓを接近させると、第２インナハウジング２０Ｓの連結片３５が、第１インナハウジング２０Ｆの連結突起３４に当接する。そして、連結片３５は、ヘッド部３５Ｂが連結突起３４を下側に乗り越える際に外側に弾性撓みし、ヘッド部３５Ｂが連結突起３４を乗り越えたと同時に内側に弾性復帰して連結突起３４に係止する。これにより、第１インナハウジング２０Ｆと第２インナハウジング２０Ｓとは、前後方向および上下方向の相対変位を制限された状態で連結される。
【００４８】
次に、連結された第１インナハウジング２０Ｆおよび第２インナハウジング２０Ｓを第２アウタハウジング４０Ｓに収容する。先に述べたのと同様に、連結された第１インナハウジング２０Ｆおよび第２インナハウジング２０Ｓを第２アウタハウジング４０Ｓの収容部４１に後方から差し入れると、ロック部３６が指掛け部４６に係止するとともに、第１インナハウジング２０Ｆおよび第２インナハウジング２０Ｓの前当接部２９がアウタハウジング４０の前壁部４２の内面に当接した状態になる。これにより、積み上げられた第１インナハウジング２０Ｆおよび第２インナハウジング２０Ｓが、第２アウタハウジング４０Ｓの内部に抜け止めされた状態で保持される。
以上により、積み上げられた第１インナハウジング２０Ｆおよび第２インナハウジング２０Ｓを第２アウタハウジング４０Ｓに組み付ける作業が完了する。
【００４９】
次に、上記のように構成された実施例の作用および効果について説明する。
本実施例のコネクタは、側方から端子金具１０を収容可能に開放された形態の端子収容部２１が形成された第１インナハウジング２０Ｆおよび第２インナハウジング２０Ｓと、積み上げられた第１インナハウジング２０Ｆと第２インナハウジング２０Ｓとを連結する連結部３３と、積み上げられた第１インナハウジング２０Ｆと第２インナハウジング２０Ｓとを内部に収容可能な筒状をなして端子収容部２１の開放側を塞ぐ第２アウタハウジング４０Ｓとを備え、第２アウタハウジング４０Ｓには、連結部３３との干渉を回避する開口部４５が設けられ、第２アウタハウジング４０Ｓの側面には指掛け部４６が突設され、第１インナハウジング２０Ｆには、第１インナハウジング２０Ｆが第２アウタハウジング４０Ｓに収容されたときに指掛け部４６と前後方向に係止して第２アウタハウジング４０Ｓからの抜け出しを防ぐロック部３６が備えられている。
【００５０】
この構成によれば、第２アウタハウジング４０Ｓに開口部４５を設けるだけのシンプルな構成で、積み上げられた第１インナハウジング２０Ｆと第２インナハウジング２０Ｓとを連結する連結部３３との干渉を回避するものとし、また第２アウタハウジング４０Ｓ内に収容された第１インナハウジング２０Ｆおよび第２インナハウジング２０Ｓの抜け出しを防止するロック構造の一部を、指掛け部４６に持たせたことから、コネクタの更なる小型化を実現することができる。
【００５１】
また、連結部３３が、第１インナハウジング２０Ｆに突設された連結突起３４と、第２インナハウジング２０Ｓから第１インナハウジング２０Ｆ側に延出して設けられて連結突起３４に係止可能な連結片３５とを有するものとされ、アウタハウジング４０は、第１インナハウジング２０Ｆが単体で収容される第１アウタハウジング４０Ｆを備えている。
【００５２】
この構成によれば、端子収容部２１が一段のみのコネクタと端子収容部２１が２段に配されるコネクタとにおいて第１インナハウジング２０Ｆを共有することができる。また、第１アウタハウジング４０Ｆに収容される第１インナハウジング２０Ｆの連結突起３４は第２インナハウジング２０Ｓの連結片３５よりも外形形状が小さいから、第１アウタハウジング４０Ｆの開口部４５を小さくすることができる。
【００５３】
＜他の実施例＞
本発明は上記記述及び図面によって説明した本実施例に限定されるものではなく、例えば次のような実施例も本発明の技術的範囲に含まれる。
（１）本実施例では、端子金具１０の前後方向の離脱を防止する離脱防止部として、離脱防止凸部２５および離脱防止凹部２８が設けられているが、これに限らず、離脱防止部は、端子金具の前後方向の離脱を防止可能であればどのような構造であってもよく、例えば、端子収容部の前端部と後端部とに設けられた壁部としてもよい。
（２）本実施例では、インナハウジング２０を上下二段に積み上げた形態を示したが、これに限らず、インナハウジングを上下三段以上に積み上げてもよい。
（３）本実施例では、アウタハウジング４０の下面（ロックアーム４４が設けられた面と反対側の面）に指掛け部４６が設けられているが、これに限らず、例えば、指掛け部をアウタハウジングの左側面または右側面に設けてもよい。
（４）本実施例では、連結部３３が、第１インナハウジング２０Ｆに突設された連結突起３４と、第２インナハウジング２０Ｓに設けられた連結片３５とを有するものとされているが、これに限らず、連結部の構造は、積み上げられたインナハウジングを連結可能な構造であればどのような構造としてもよい。
（５）本実施例では、一段用のアウタハウジング４０Ｆを備えているが、必ずしも一段用のアウタハウジングを備えなくてもよい。
（６）本実施例では、第２アウタハウジング４０Ｓに収容される第１インナハウジング２０Ｆが、単体で第１アウタハウジング４０Ｆに収容可能とされているが、これに限らず、インナハウジングはアウタハウジング毎に専用のものを備えるものとしてもよい。
【符号の説明】
【００５４】
１０…端子金具
２０…インナハウジング
２０Ｆ…第１インナハウジング（一方のインナハウジング）
２０Ｓ…第２インナハウジング（他方のインナハウジング）
２１…端子収容部
３３…連結部
３４…連結突起
３５…連結片
３６…ロック部
４０…アウタハウジング
４０Ｆ…第１アウタハウジング（一段用アウタハウジング）
４５…開口部
４６…指掛け部
【図１】
0006256276.tif 000002
【図２】
0006256276.tif 000003
【図３】
0006256276.tif 000004
【図４】
0006256276.tif 000005
【図５】
0006256276.tif 000006
【図６】
0006256276.tif 000007
【図７】
0006256276.tif 000008
【図８】
0006256276.tif 000009
【図９】
0006256276.tif 000010
【図１０】
0006256276.tif 000011
【図１１】
0006256276.tif 000012
【図１２】
0006256276.tif 000013